(57)【要約】【課題】携帯通信端末を利用することにより、既存のアナログ放送システム等において、容易に共通の双方向の放送サービスを提供する。【解決手段】本発明のコンテンツ提供システム３０は、会員ＩＤと会員パスワードとを関連付けて記憶する会員情報記憶部３１と、コンテンツＩＤを含む申込情報を受信する申込情報受信部３７と、所定の方法で選択した所定の会員宛てに選択通知メールを送信する選択通知メール送信部３８と、コンテンツＩＤと所定会員の会員ＩＤとを関連付けて記憶する選択情報記憶部３３と、会員ＩＤと会員パスワードとコンテンツＩＤとに応じて会員１の通信端末１０に対してコンテンツを提供するか否かについての会員認証を行う会員認証部４０と、会員認証結果が肯定的である場合、会員１の通信端末１０に対してコンテンツを提供するコンテンツ提供部３９とを具備する。【選択図】　　　図２
2004120438.tif 000002
【特許請求の範囲】
【請求項１】
放送局によって提供される番組に関連するコンテンツを会員の通信端末に提供するコンテンツ提供システムであって、
前記会員を識別する会員ＩＤと会員パスワードとを関連付けて記憶する会員情報記憶部と、
前記会員から、所望の前記コンテンツを識別するコンテンツＩＤを含む申込情報を受信する申込情報受信部と、
前記申込情報を送信した前記会員の中から所定の方法で所定の会員を選択し、選択した前記所定の会員宛てに前記コンテンツＩＤを含む選択通知メールを送信する選択通知メール送信部と、
前記コンテンツＩＤと前記選択された所定の会員の会員ＩＤとを関連付けて記憶する選択情報記憶部と、
前記会員の通信端末から送信された前記会員ＩＤと前記会員パスワードと前記コンテンツＩＤとに応じて、前記会員情報記憶部及び前記選択情報記憶部を参照して、該会員の通信端末に対して該コンテンツＩＤによって識別される前記コンテンツを提供するか否かについての会員認証を行う会員認証部と、
前記会員認証結果が肯定的である場合、前記会員の通信端末に対して、前記コンテンツを提供するコンテンツ提供部とを具備することを特徴とするコンテンツ提供システム。
【請求項２】
前記選択通知メール送信部は、前記放送局からの指示に基づいて、前記申込情報を送信した前記会員の中から前記所定の会員を選択することを特徴とする請求項１に記載のコンテンツ提供システム。
【請求項３】
前記会員情報記憶部は、前記会員ＩＤと前記パスワードとに加えて、前記会員の性別、住所、年齢の少なくとも一つを関連付けて記憶しており、
前記選択通知メール送信部は、前記放送局から指示された前記会員の性別、住所、年齢の少なくとも一つの情報に基づいて、前記会員情報記憶部を参照して、前記申込情報を送信した前記会員の中から前記所定の会員を選択することを特徴とする請求項１に記載のコンテンツ提供システム。
【請求項４】
前記番組の放送日時と該番組に関連するコンテンツを識別するコンテンツＩＤと該コンテンツの提供のために前記申込情報の送信が必要な旨の通知とを含むコンテンツ紹介メールを、前記会員に対して送信するコンテンツ紹介メール送信部を具備することを特徴とする請求項１乃至３のいずれか一項に記載のコンテンツ提供システム。
【請求項５】
前記コンテンツＩＤと前記放送局を識別する放送局ＩＤと放送局パスワードとを関連付けて記憶するコンテンツ情報記憶部と、
前記放送局から送信された前記コンテンツＩＤと前記放送局を識別する放送局ＩＤと前記放送局パスワードとに応じて、前記コンテンツ情報記憶部を参照して、該放送局に対して該コンテンツＩＤによって識別される前記コンテンツの内容を変更することを許可するか否かについての放送局認証を行う放送局認証部とを具備することを特徴とする請求項１乃至４のいずれか一項に記載のコンテンツ提供システム。
【請求項６】
放送局によって提供される番組に関連するコンテンツを会員の通信端末に提供するコンテンツ提供方法であって、
前記会員から、所望の前記コンテンツを識別するコンテンツＩＤを含む申込情報を受信する工程Ａと、
前記申込情報を送信した前記会員の中から所定の方法で所定の会員を選択し、選択した前記所定の会員宛てに前記コンテンツＩＤを含む選択通知メールを送信する工程Ｂと、
前記会員の通信端末から送信された前記会員ＩＤと会員パスワードと前記コンテンツＩＤとに応じて、該会員の通信端末に対して該コンテンツＩＤによって識別される前記コンテンツを提供するか否かについての会員認証を行う工程Ｃと、
前記会員認証結果が肯定的である場合、前記会員の通信端末に対して、前記コンテンツを提供する工程Ｄとを有することを特徴とするコンテンツ提供方法。
【請求項７】
前記工程Ｂにおいて、前記放送局からの指示に基づいて、前記申込情報を送信した前記会員の中から前記所定の会員を選択することを特徴とする請求項６に記載のコンテンツ提供方法。
【請求項８】
前記工程Ｂにおいて、前記放送局から指示された前記会員の性別、住所、年齢の少なくとも一つの情報に基づいて、前記申込情報を送信した前記会員の中から前記所定の会員を選択することを特徴とする請求項６に記載のコンテンツ提供方法。
【請求項９】
前記番組の放送日時と該番組に関連するコンテンツを識別するコンテンツＩＤと該コンテンツの提供のために前記申込情報の送信が必要な旨の通知とを含むコンテンツ紹介メールを、前記会員に対して送信する工程を有することを特徴とする請求項６乃至８のいずれか一項に記載のコンテンツ提供方法。
【請求項１０】
前記放送局から送信された前記コンテンツＩＤと前記放送局を識別する放送局ＩＤと放送局パスワードとに応じて、該放送局に対して該コンテンツＩＤによって識別される前記コンテンツの内容を変更することを許可するか否かについての放送局認証を行う工程を有することを特徴とする請求項６乃至９のいずれか一項に記載のコンテンツ提供方法。
【発明の詳細な説明】
【０００１】
【発明の属する技術分野】
本発明は、放送局によって提供される番組に関連するコンテンツを会員の通信端末に提供するコンテンツ提供システム及びコンテンツ提供方法に関する。
【０００２】
【従来の技術】
従来、ＢＳ（Ｂｒｏａｄｃａｓｔｉｎｇ　Ｓａｔｅｌｌｉｔｅ）ディジタル放送システムにおいて、双方向（インタラクティブ）の放送サービスが提供されている。かかるＢＳディジタル放送システムでは、特定の事業者（ＴＭＳ）が、顧客宅のＢＳデジタルチューナに接続された電話回線（固定回線）を介して送出される顧客からの応募や回答等に対するトランザクション処理業務を提供することによって、双方向（インタラクティブ）の放送サービスが提供されている（例えば、特許文献１参照）。
【０００３】
【特許文献１】
特開２００２−１２５１６４号公報（第０００２段落乃至第０００６段落）
【０００４】
【発明が解決しようとする課題】
しかしながら、従来のＢＳディジタル放送システムにおける双方向の放送サービスでは、ＢＳディジタルチューナ（受信チューナ）に接続されている固定回線の割合が低い、上述の固定回線によるとＴＭＳとのセッション確立までの時間が長い、ＴＭＳとの間の常時接続が不可能である、また、ＴＭＳによるトランザクション手数料が高額であるといった多くの問題点があった。
【０００５】
また、アナログ放送システムでは、ＴＶ受信機に上り回線接続機能が無いため、双方向の放送サービスが、実質的にほとんど提供されていないといった問題点があった。
【０００６】
そこで、本発明は、以上の点に鑑みてなされたもので、携帯通信端末を利用することにより、既存のアナログ放送（ＴＶ放送又はラジオ放送）システムやＢＳディジタル放送システムやＣＳ（Ｃｏｍｍｕｎｉｃａｔｉｏｎｓ　Ｓａｔｅｌｌｉｔｅ）ディジタル放送システムや地上波ディジタル放送システムにおいても、容易に共通の双方向の放送サービスを提供することを目的とする。
【０００７】
【課題を解決するための手段】
本発明の第１の特徴は、放送局によって提供される番組に関連するコンテンツを会員の通信端末に提供するコンテンツ提供システムであって、前記会員を識別する会員ＩＤと会員パスワードとを関連付けて記憶する会員情報記憶部と、前記会員から、所望の前記コンテンツを識別するコンテンツＩＤを含む申込情報を受信する申込情報受信部と、前記申込情報を送信した前記会員の中から所定の方法で所定の会員を選択し、選択した前記所定の会員宛てに前記コンテンツＩＤを含む選択通知メールを送信する選択通知メール送信部と、前記コンテンツＩＤと前記選択された所定の会員の会員ＩＤとを関連付けて記憶する選択情報記憶部と、前記会員の通信端末から送信された前記会員ＩＤと前記会員パスワードと前記コンテンツＩＤとに応じて、前記会員情報記憶部及び前記選択情報記憶部を参照して、該会員の通信端末に対して該コンテンツＩＤによって識別される前記コンテンツを提供するか否かについての会員認証を行う会員認証部と、前記会員認証結果が肯定的である場合、前記会員の通信端末に対して、前記コンテンツを提供するコンテンツ提供部とを具備することを要旨とする。
【０００８】
かかる発明によれば、放送局によって提供される番組に関連するコンテンツを会員の通信端末（携帯通信端末）に提供することができるため、容易に双方向の放送サービス（例えば、視聴者参加番組）を実現するためのプラットフォームを構築することができ、新たな通信トラヒック需要を創出することができる。
【０００９】
また、かかる発明によれば、従来のＴＶ受信機１台につき１つのリモコンしかないため、世帯あたりの参加人数が制限されてしまうという問題点を解決して、携帯通信端末を利用することで、家族での参加や友人同士での参加が可能となる。
【００１０】
また、かかる発明によれば、特定の事業者が、当該コンテンツ適用システムを管理することによって、放送局と会員とを結ぶ中核的な存在となることができる。
【００１１】
また、かかる発明によれば、会員認証部が、会員の通信端末から送信された「会員ＩＤ」と「会員パスワード」と「コンテンツＩＤ」とに応じて、当該会員の通信端末に対して当該コンテンツＩＤによって識別されるコンテンツを提供するか否かについての会員認証を行うため、所定のコンテンツに対する会員による集中的なアクセスを回避することができる。
【００１２】
本発明の第１の特徴において、前記選択通知メール送信部が、前記放送局からの指示に基づいて、前記申込情報を送信した前記会員の中から前記所定の会員を選択することが好ましい。
【００１３】
かかる発明によれば、選択通知メール送信部が、放送局からの指示に基づいて所定の会員を選択するため、放送局は、自身が提供する番組に関連するコンテンツを提供する会員を自由に選択することができる。
【００１４】
また、本発明の第１の特徴において、前記会員情報記憶部が、前記会員ＩＤと前記パスワードとに加えて、前記会員の性別、住所、年齢の少なくとも一つを関連付けて記憶しており、前記選択通知メール送信部が、前記放送局から指示された前記会員の性別、住所、年齢の少なくとも一つの情報に基づいて、前記会員情報記憶部を参照して、前記申込情報を送信した前記会員の中から前記所定の会員を選択することが好ましい。
【００１５】
かかる発明によれば、選択通知メール送信部が、放送局から指示された会員の性別、住所、年齢の少なくとも一つの情報に基づいて、所定の会員を選択するため、放送局は、番組の特性（例えば、２０台女性をターゲットとした番組や、ローカル番組等）に基づいて、当該番組に関連するコンテンツを提供する会員を自由に選択することができる。
【００１６】
かかる発明によれば、会員の個人属性（性別や年令等）に基づいて、番組に参加させる視聴者（すなわち、当該番組に関連するコンテンツを提供する会員）を選択することができるので、会員（視聴者）の個人属性を活かした番組演出を行うことができる。
【００１７】
また、本発明の第１の特徴において、前記番組の放送日時と該番組に関連するコンテンツを識別するコンテンツＩＤと該コンテンツの提供のために前記申込情報の送信が必要な旨の通知とを含むコンテンツ紹介メールを、前記会員に対して送信するコンテンツ紹介メール送信部を具備することが好ましい。
【００１８】
かかる発明によれば、コンテンツ紹介メール送信部が、コンテンツ紹介メールを会員に対して送信するため、当該コンテンツの提供を望む会員を広く募集することができる。
【００１９】
また、本発明の第１の特徴において、前記コンテンツＩＤと前記放送局を識別する放送局ＩＤと放送局パスワードとを関連付けて記憶するコンテンツ情報記憶部と、前記放送局から送信された前記コンテンツＩＤと前記放送局を識別する放送局ＩＤと前記放送局パスワードとに応じて、前記コンテンツ情報記憶部を参照して、該放送局に対して該コンテンツＩＤによって識別される前記コンテンツの内容を変更することを許可するか否かについての放送局認証を行う放送局認証部とを具備することが好ましい。
【００２０】
かかる発明によれば、放送局認証部が、所定の放送局に対してコンテンツの内容を変更することを許可するか否かについての放送局認証を行うため、許可された放送局のみが、番組の放送中であっても、当該番組に関連するコンテンツを自由に変更することができる。
【００２１】
本発明の第２の特徴は、放送局によって提供される番組に関連するコンテンツを会員の通信端末に提供するコンテンツ提供方法であって、前記会員から、所望の前記コンテンツを識別するコンテンツＩＤを含む申込情報を受信する工程Ａと、前記申込情報を送信した前記会員の中から所定の方法で所定の会員を選択し、選択した前記所定の会員宛てに前記コンテンツＩＤを含む選択通知メールを送信する工程Ｂと、前記会員の通信端末から送信された前記会員ＩＤと会員パスワードと前記コンテンツＩＤとに応じて、該会員の通信端末に対して該コンテンツＩＤによって識別される前記コンテンツを提供するか否かについての会員認証を行う工程Ｃと、前記会員認証結果が肯定的である場合、前記会員の通信端末に対して、前記コンテンツを提供する工程Ｄとを有することを要旨とする。
【００２２】
本発明の第２の特徴において、前記工程Ｂで、前記放送局からの指示に基づいて、前記申込情報を送信した前記会員の中から前記所定の会員を選択することが好ましい。
【００２３】
また、本発明の第２の特徴において、前記工程Ｂで、前記放送局から指示された前記会員の性別、住所、年齢の少なくとも一つの情報に基づいて、前記申込情報を送信した前記会員の中から前記所定の会員を選択することが好ましい。
【００２４】
また、本発明の第２の特徴において、前記番組の放送日時と該番組に関連するコンテンツを識別するコンテンツＩＤと該コンテンツの提供のために前記申込情報の送信が必要な旨の通知とを含むコンテンツ紹介メールを、前記会員に対して送信する工程を有することが好ましい。
【００２５】
また、本発明の第２の特徴において、前記放送局から送信された前記コンテンツＩＤと前記放送局を識別する放送局ＩＤと放送局パスワードとに応じて、該放送局に対して該コンテンツＩＤによって識別される前記コンテンツの内容を変更することを許可するか否かについての放送局認証を行う工程を有することが好ましい。
【００２６】
【発明の実施の形態】
（本発明の実施形態に係るコンテンツ提供システムの構成）
本発明の実施形態に係るコンテンツ提供システムの構成について、図１乃至図４を参照しながら説明する。
【００２７】
本実施形態に係るコンテンツ提供システム３０は、放送局５０によって提供される番組に関連するコンテンツ（双方向の放送サービス）を会員１の通信端末１０に提供するものである。本実施形態において、コンテンツは、上述の番組上で出題されるクイズやアンケート等を会員の通信端末に表示するための情報である。
【００２８】
具体的には、図１に示すように、コンテンツ提供システム３０は、複数の放送局５０１乃至５０Ｎによって放送中継装置４を介してＴＶ受信機２に提供されている番組に関連するコンテンツを、会員１の携帯通信端末１０に提供するものである。
【００２９】
ここで、複数の放送局５０１乃至５０Ｎによって放送中継装置４を介して提供される番組は、ＢＳディジタル放送システムやＣＳディジタル放送システムや地上波ディジタル放送システムによって提供されるものであってもよいし、アナログ放送（ＴＶ放送又はラジオ放送）システムによって提供されるものであってもよい。
【００３０】
また、コンテンツ提供システム３０は、上述のコンテンツを、会員１の携帯通信端末１０に提供してもよいし、インターネットに接続可能なＰＣ等の固定通信端末に提供してもよい。
【００３１】
会員１は、上述のコンテンツの提供を受ける際に、当該コンテンツを識別するコンテンツＩＤを入力する必要があるが、かかるコンテンツＩＤを、コンテンツ提供システム３０からの通知によって入手してもよいし、広告・雑誌３の記載から入手してもよい。
【００３２】
コンテンツ提供システム３０は、図２に示すように、会員情報記憶部３１と、番組情報記憶部３２と、参加情報記憶部３３と、コンテンツ記憶部３４と、放送局Ｉ／Ｆ部３５と、番組参加メール送信部３６と、参加申込情報受信部３７と、当選通知メール送信部３８と、コンテンツ提供部３９と、会員認証部４０と、会員登録部４１と、放送局認証部４２と、参加者情報提供部４３と、課金処理部４４とを具備している。
【００３３】
会員情報記憶部３１は、図３に示すように、会員１を識別する「会員ＩＤ」と「会員パスワード」と「メールアドレス」と「性別」と「住所」と「年令」と「趣味」と「エントリー回数」と「当選回数」と「参加回数」と「メール不達回数」とを関連付けて記憶するものである。
【００３４】
「会員ＩＤ」は、会員１によって任意に指定されたものであってもよいし、コンテンツ提供システム側において自動的に決定されたものであってもよいし、会員１の携帯通信端末１０の製造番号であってもよいし、会員１の携帯電話番号であってもよいし、会員１の携帯通信端末１０の加入契約に係るユーザＩＤ（例えば、ｉ−ｍｏｄｅ（登録商標）のＵＩＤ）であってもよい。
【００３５】
「会員パスワード」は、コンテンツの提供を要求するため等に、コンテンツ提供システム３０にアクセスする際に用いられるものである。「メールアドレス」は、コンテンツ提供システム３０が、後述する番組参加メールや当選通知メール等を送信する宛先である。
【００３６】
「住所」は、会員１の正確な住所を示すものであってもよいし、都道府県の別を示すだけのものであってもよい。「年令」は、会員１の正確な年令を示すものであってもよいし、２０代等の年代を示すだけのものであってもよい。「趣味」は、コンテンツ提供システム３０が準備した項目の中から選択させるものである。
【００３７】
「エントリー回数」は、会員１が、携帯通信端末１０を用いて、コンテンツ提供システム３０に対して、所望のコンテンツＩＤを含む申込情報を送信した回数（すなわち、当該コンテンツＩＤによって識別されるコンテンツに関連する番組にエントリーした回数）を示すものである。
【００３８】
「当選回数」は、会員１が、コンテンツ提供システム３０によって、所望のコンテンツを提供する所定の会員として選択された回数を示すものである。
【００３９】
「参加回数」は、会員１が、コンテンツ提供システム３０によって所望のコンテンツを提供する所定の会員として選択された際に、当該コンテンツ提供システム３０から当該コンテンツの提供を受けた回数を示すものである。
【００４０】
「メール不達回数」は、コンテンツ提供システム３０が、番組参加メールや当選通知メールを会員１のメールアドレス宛てに送信したにも関わらず不達となった回数を示すものである。
【００４１】
番組情報記憶部３２は、図４に示すように、上述のコンテンツに関連する番組を識別する「番組ＩＤ」と「番組名」と「放送日時」と「エントリー有無」と「募集人数」と「参加人数」と「放送局ＩＤ」と「放送局パスワード」とを関連付けて記憶するコンテンツ情報記憶部を構成する。
【００４２】
「番組名」は、当該番組の名称を示すものであり、「放送日時」は、当該番組が放送局によって提供（放送）される日時を示すものである。
【００４３】
「エントリー有無」は、当該番組に関連するコンテンツの提供を受けるために、コンテンツ提供システム３０に対して申込情報の送信を必要とするか否かを示すものである。
【００４４】
「募集人数」は、コンテンツ提供システム３０が、当該番組に関連するコンテンツを提供する会員１の人数を示すものである。「参加人数」は、コンテンツ提供システム３０が、実際に、当該番組に関連するコンテンツを提供した会員１の人数を示すものである。
【００４５】
「放送局ＩＤ」は、当該コンテンツを提供する放送局５０を識別するものである。「放送局パスワード」は、放送局５０が、コンテンツ提供システム３０にアクセスして当該コンテンツの内容を変更する際に用いられるものである。
【００４６】
参加情報記憶部３３は、会員１が、携帯通信端末１０を用いて申込情報を送信した場合に作成されるレコードを記憶するものであり、具体的には、図５に示すように、「番組ＩＤ」と「放送日時」と「会員ＩＤ」と「抽選結果フラグ」と「参加フラグ」とを関連付けて記憶する選択情報記憶部を構成する。
【００４７】
「抽選結果フラグ」は、当該「会員ＩＤ」によって識別される会員１を、当該「番組ＩＤ」によって識別される番組に関連するコンテンツを提供する所定の会員として選択したか否かを示すものである。
【００４８】
「参加フラグ」は、当該「会員ＩＤ」によって識別される会員１が、実際に、当該「番組ＩＤ」によって識別される番組に関連するコンテンツの提供受けたか否かを示すものである。
【００４９】
コンテンツ記憶部３４は、上述の「番組ＩＤ」によって識別される番組に関連するコンテンツを記憶するものである。例えば、コンテンツ記憶部３４は、クイズ番組の放送中に、会員１の携帯通信端末１０にクイズの内容を表示するための情報（例えば、ｃＨＴＭＬやＨＴＭＬによって記述された情報）を記憶する。
【００５０】
放送局Ｉ／Ｆ部３５は、公衆回線又は専用回線を介して放送局５０との間で、各種情報の送受信を行うものである。例えば、放送局Ｉ／Ｆ部３５は、所定の番組に対する参加者に関する情報（すなわち、所定の番組に関連するコンテンツを提供した会員１に関する情報）や課金情報を、放送局５０に送信する。また、放送局Ｉ／Ｆ部３５は、放送局５０からのコンテンツ記憶部３４へのアクセス要求を受信する。
【００５１】
番組参加メール送信部３６は、所定の番組の放送日時と当該番組に関連するコンテンツを識別するコンテンツＩＤと当該コンテンツの提供のために申込情報の送信が必要な旨の通知とを含むコンテンツ紹介メール（番組参加メール）を、会員１に対して送信するコンテンツ紹介メール送信部を構成する。
【００５２】
すなわち、番組参加メール送信部３６は、放送局Ｉ／Ｆ部３５を介して受信した放送局５０からの指示に応じて、会員情報記憶部３１及び番組情報記憶部３２を参照して上述の番組参加メールを生成し、所定の会員１に対して所定の時期に当該番組参加メールを送信する。
【００５３】
例えば、番組参加メール送信部３６は、放送局５０からの指示に応じて、会員情報記憶部３１を参照して、特定の趣味が選択されている会員１を抽出し、かかる会員１のメールアドレス宛てに上述の番組参加メールを送信することができる。
【００５４】
また、番組参加メール送信部３６は、放送局５０からの指示に応じて、当該番組の放送日時の一定期間前に、所定の会員１のメールアドレス宛てに上述の番組参加メールを送信することができる。
【００５５】
また、番組参加メール送信部３６は、所定の会員１のメールアドレスに対して当該番組参加メールが不達であった旨を検出した場合、その旨を会員情報記憶部３１に通知することができる。
【００５６】
参加申込情報受信部３７は、会員１から、所望のコンテンツを識別するコンテンツＩＤを含む申込情報（参加申込情報）を受信する申込情報受信部を構成する。
【００５７】
すなわち、参加申込情報受信部３７は、所定の番組に関連するコンテンツの提供を受けるために、会員１の携帯通信端末１０から送信された参加申込情報を受信するものである。
【００５８】
ここで、参加申込情報は、上述の番組参加メールに対する返信メールの形式で送信されるものであってもよいし、広告・雑誌３に記載されているコンテンツＩＤ及び会員ＩＤを含むメールの形式で送信されるものであってもよい。また、参加申込情報は、コンテンツ提供システム３０によって会員１の携帯通信端末１０に提供されるポータルサイトを介して送信されるものであってもよい。
【００５９】
参加申込情報受信部３７は、所定の会員１の携帯通信端末１０から参加申込情報を受信した場合、当該参加申込情報の内容を、会員情報記憶部３１及び参加情報記憶部３３に通知する。
【００６０】
当選通知メール送信部３８は、参加申込情報を送信した会員の中から所定の方法で所定の会員を選択し、選択した所定の会員宛てにコンテンツＩＤを含む選択通知メール（当選通知メール）を送信する選択通知メール送信部を構成する。
【００６１】
当選通知メール送信部３８は、放送局Ｉ／Ｆ部３５を介して受信した放送局５０からの指示に基づいて、会員情報記憶部３１及び番組情報記憶部３２を参照して、参加申込情報を送信した会員１の中から所定の会員を選択する。
【００６２】
例えば、当選通知メール送信部３８は、放送局５０からの指示にしたがって、会員情報記憶部３１を参照して、女性会員を優先的に選択してもよいし、東京都在住の会員を優先的に選択してもよいし、２０代の会員を優先的に選択してもよいし、スポーツが趣味の会員を優先的に選択してもよいし、エントリー回数に対して当選回数が少ない会員を優先的に選択してもよいし、当選回数に対して参加回数が多い会員を優先的に選択してもよいし、メール不達回数の少ない会員を優先的に選択してもよい。
【００６３】
この結果、放送局５０は、番組の内容に応じて、当該番組に関連するコンテンツを提供する会員を自由に選択することができる。
【００６４】
また、当選通知メール送信部３８は、純粋な抽選で、当選通知メールを送信する所定の会員を選択してもよい。
【００６５】
当選通知メール送信部３８は、上述の選択結果を、会員情報記憶部３１及び参加情報記憶部３３に通知する。
【００６６】
また、当選通知メール送信部３８は、選択された所定の会員１のみが知り得るコンテンツＩＤやパスワードやＵＲＬ等を含む当選通知メールを送信してもよい。かかる場合、会員１は、所定の番組に関連するコンテンツの提供を受けるためには、コンテンツ提供システム３０によって提供されたポータルサイト等において、当該コンテンツＩＤやパスワードを入力する必要がある。
【００６７】
コンテンツ提供部３９は、会員認証部４０による会員認証結果が肯定的である場合、移動体通信網を介して送信された会員１の携帯通信端末１０からの要求に応じて、コンテンツ記憶部３４に記憶されているコンテンツ（例えば、番組用ホームページを表示するための情報）を提供するものである。
【００６８】
すなわち、コンテンツ提供部３９は、会員認証部４０による会員認証結果が肯定的である場合、会員１により携帯通信端末１０を用いて送信されたコンテンツＩＤに対応するコンテンツをコンテンツ記憶部３４から抽出し、抽出したコンテンツを携帯通信端末１０に提供する。コンテンツ提供部３９は、例えば、ＨＴＴＰに対応したデータ通信機能を具備する。
【００６９】
ここで、コンテンツ提供部３９は、携帯通信端末１０からのアクセス要求に応じてポータルサイトを提供するように構成されていてもよい。かかるポータルサイトには、会員専用のホームページにジャンプすることが可能な手段（例えば、リンク）が設けられている。
【００７０】
そして、携帯通信端末１０から会員専用のホームページへのジャンプが要求された場合、会員認証部４０が、会員情報記憶部３１と協働して、当該携帯通信端末のユーザが会員であるか否かの会員認証を行う。会員認証結果が肯定的（当該ユーザが会員である）であれば、コンテンツ提供部３９は、会員専用のホームページを表示するための情報を提供し、会員認証結果が否定的（当該ユーザが会員でない）であれば、コンテンツ提供部３９は、会員登録を促すホームページを表示するための情報を提供する。
【００７１】
また、コンテンツ提供部３９は、具体的には、会員認証部４０により会員認証結果が肯定的である旨の通知を受けた場合、携帯通信端末１０から上述のポータルサイトを介して送信された「コンテンツＩＤ」に対応するコンテンツ（番組用ホームページを表示するための情報）をコンテンツ記憶部３４から抽出し、抽出したコンテンツを携帯通信端末１０に提供する。
【００７２】
また、コンテンツ提供部３９は、携帯通信端末１０から送信された「会員情報」を会員登録部４１に転送する。
【００７３】
さらに、コンテンツ提供部３９は、番組用ホームページを介して携帯通信端末１０から送信された「アンケート結果」や「人気投票結果」や「クイズの回答」等を受信することができる。
【００７４】
会員認証部４０は、会員１の携帯通信端末１０から送信された会員ＩＤと会員パスワードとコンテンツＩＤとに応じて、会員情報記憶部３１及び参加情報記憶部３３を参照して、当該会員１の携帯通信端末１０に対して当該コンテンツＩＤによって識別されるコンテンツを提供するか否かについての会員認証を行うものである。
【００７５】
会員認証部４０は、コンテンツ提供部３９から転送された「会員認証情報（会員ＩＤ及び会員パスワード）」を有するレコードが存在するか否かについて会員情報記憶部３１を検索することによって、当該ユーザに対してコンテンツを提供することが可能か否かの第１の会員認証を行う。
【００７６】
会員認証部４０は、上述のレコードが存在すると判断した場合、コンテンツ提供部３９にその旨を通知し、コンテンツ提供部３９が、この通知に応じて上述の携帯通信端末１０にコンテンツ情報（番組用ホームページを表示するための情報）を提供する。
【００７７】
また、会員認証部４０は、コンテンツの提供にエントリーを必要とする番組については、コンテンツ提供部３９から転送された「会員認証情報（会員ＩＤ及び会員パスワード）」及び「コンテンツＩＤ」を有するレコードが存在するか否かについて参加情報３３を検索することによって、当該会員１に対してコンテンツ（番組用ホームページを表示するための情報）を提供することが可能か否かの第２の会員認証を行う。
【００７８】
会員認証部４０は、上述のレコードが存在すると判断した場合、コンテンツ提供部３９にその旨を通知し、コンテンツ提供部３９が、この通知に応じて上述の携帯通信端末１０にコンテンツ情報（番組用ホームページを表示するための情報）を提供する。
【００７９】
会員登録部４１は、携帯通信端末１０のユーザに双方向の放送サービス（すなわち、放送局５０によって提供される番組に関連するコンテンツ）を提供するために、コンテンツ提供部３９から転送された「会員情報」に基づいて、会員情報記憶部３１に当該会員に係るレコードを生成し登録することによって、当該ユーザに対する会員登録を行うものである。
【００８０】
会員登録部４１は、会員登録を行ったユーザに対して、例えば、イメージキャラクタの動画像や、携帯電話機の着信通知用音楽情報（着メロ）や、携帯電話機の着信待ち受け時用画像（待ち受け画面）等をダウンロードする権限等の対価を与えることができる。また、会員登録部４１は、会員登録を行ったユーザに対して、会員のみがアクセス可能なホームページのＵＲＬを提供することができる。
【００８１】
放送局認証部４２は、放送局Ｉ／Ｆ部３５を介して放送局５０から送信されたコンテンツＩＤと放送局ＩＤと放送局パスワードとに応じて、コンテンツ情報記憶部を参照して、当該放送局５０に対して、コンテンツ記憶部３４内の当該コンテンツＩＤによって識別されるコンテンツの内容を変更することを許可するか否かについての放送局認証を行うものである。
【００８２】
放送局５０は、当該放送局認証の結果が肯定的である場合に、コンテンツ記憶部３４内の所定のコンテンツの内容を変更することができる。この結果、放送局５０は、番組の放送中に当該番組に関連するコンテンツの内容を変更する必要が生じた場合であって、セキュリティを維持しながら対応することができる。
【００８３】
参加者情報提供部４３は、会員情報記憶部３１及び参加情報記憶部３３を参照して、放送局Ｉ／Ｆ部３５を介して放送局５０に対して、所定の番組への参加者（すなわち、所定の番組に関連するコンテンツを実際に提供した会員）１に係る情報を送信するものである。
【００８４】
従来、世帯の視聴率を把握することはできても、個人の視聴形態を把握することが困難であったが、参加者情報提供部４３が、所定の番組へ参加した会員１に係る情報を放送局５０に対して提供するため、上述の個人の視聴形態を把握することができる。
【００８５】
また、参加者情報提供部４３は、上述の参加者に係る情報の中から、放送局５０又は会員１によって指定された特定の情報のみ送信することができる。
【００８６】
課金処理部４４は、各放送局５０１乃至５０Ｎに対する課金処理を行い、これによって得られた課金情報を放送局Ｉ／Ｆ部３５を介して該当する放送局５０１乃至５０Ｎに送信するものである。
【００８７】
課金処理部４４は、参加情報記憶部３３を参照して、所定の番組に対する会員１の参加人数（又は、参加申込人数等）に応じて各放送局５０１乃至５０Ｎに対する課金処理を行ってもよいし、定額料金として各放送局５０１乃至５０Ｎに対する課金処理を行ってもよい。
【００８８】
（本実施形態に係るコンテンツ提供システムの動作）
本実施形態に係るコンテンツ提供システム３０の動作を、図６を参照にして説明する。
【００８９】
図６に示すように、ステップ５０１において、放送局５０が、コンテンツ提供システム３０に対して、番組参加メールを送信するように指示する。この際、放送局５０は、番組参加メールの対象となる番組ＩＤや、番組参加メールを送信する会員１の属性（性別、住所、年令、趣味等）や、番組参加メールを送信する時期を合わせて指示する。
【００９０】
ステップ５０２において、コンテンツ提供システム３０の番組参加メール送信部３６が、上述の指示に応じて、会員情報記憶部３１を参照して、番組参加メールの送信対象の会員１の「メールアドレス」を抽出し、また、番組情報記憶部３２を参照して番組参加メールの送信対象の番組についての情報を抽出することによって、番組参加メールを生成する。
【００９１】
ステップ５０３において、番組参加メール送信部３６が、放送局５０によって指示された時期に、生成した番組参加メールを送信する。
【００９２】
ステップ５０４において、会員１の携帯通信端末１０が、受信した番組参加メールを表示する。ここで、会員１は、受信した番組参加メールの内容を読むことによって、当該番組に関連するコンテンツの提供を受けたいか否か（すなわち、当該番組に参加したいか否か）について判断する。
【００９３】
会員１が、上述のコンテンツの提供を受けたいと判断した場合、ステップ５０４において、会員１の携帯通信端末１０が、当該会員１によって生成された参加申込情報を、コンテンツ提供システムにお送信する。ここで、参加申込情報には、当該会員１を識別する会員ＩＤと会員パスワードとコンテンツＩＤとが含まれている。
【００９４】
ステップ５０６において、当選通知メール送信部３８が、参加申込情報を送信した会員の中から所定の方法で所定の会員１を選択する。ここで、当選通知メール送信部３８は、ステップ５０６ａにおいて放送局Ｉ／Ｆ部３５を介して受信した放送局５０からの指示に基づいて、会員情報記憶部３１及び番組情報記憶部３２を参照して、参加申込情報を送信した会員１の中から所定の会員を選択してもよい。
【００９５】
ステップ５０６において、当選通知メール送信部３８が、ステップ５０６において選択した所定の会員１のメールアドレス宛てに、コンテンツＩＤを含む当選通知メールを送信する。ここで、当選通知メール送信部３８が、選択された所定の会員１のみが知り得るコンテンツＩＤやパスワードを含む当選通知メールを送信してもよい。
【００９６】
ステップ５１１において、会員１は、上述の番組の放送日時に、携帯通信端末１０を用いて、当該番組に関連するコンテンツの提供を受けるために、コンテンツ提供システム３０に対してアクセス要求を送信する。
【００９７】
例えば、会員１は、上述の番組の放送日時に、携帯通信端末１０を用いて、コンテンツ提供部３９により提供されるポータルサイトにアクセスする。そして、会員１は、携帯通信端末１０を用いて、当該ポータルサイト上で、会員ＩＤと会員パスワードとコンテンツＩＤとを入力する。
【００９８】
ステップ５１２において、コンテンツ提供システム３０の会員認証部４０が、会員情報記憶部３１及び参加情報記憶部３３を参照して、当該会員ＩＤによって識別される会員１に対して、当該コンテンツＩＤによって識別されるコンテンツを提供することを許可するか否かについての会員認証（第１の会員認証及び第２の会員認証）を行う。
【００９９】
ここで、第１の会員認証は、上述のアクセス要求を送信したユーザが会員１であるか否かについての認証を行うものであり、第２の会員認証は、当該会員１が当該コンテンツの提供を受けることが可能な選択された所定の会員であるか否かについての認証を行うものである。
【０１００】
ステップ５１３において、コンテンツ提供部３９は、会員認証部４０による会員認証結果が肯定的である場合、上述のコンテンツを会員１の携帯通信端末１０に提供する。
【０１０１】
ステップ５２１において、コンテンツ提供システム３０の参加者情報提供部４３は、上述の番組終了後に、コンテンツ提供部３９が上述のコンテンツを提供した会員（参加者）１に係る情報（参加者情報）を、放送局Ｉ／Ｆ部３５を介して放送局５０に提供する。
【０１０２】
（本実施形態に係るコンテンツ提供システムの作用・効果）
本実施形態に係るコンテンツ提供システムによれば、放送局５０によって提供される番組に関連するコンテンツを会員１の携帯通信端末１０に提供することができるため、容易に双方向の放送サービス（例えば、視聴者参加番組）を実現するためのプラットフォームを構築することができ、新たな通信トラヒック需要を創出することができる。
【０１０３】
また、本実施形態に係るコンテンツ提供システムによれば、従来のＴＶ受信機１台につき１つのリモコンしかないため、世帯あたりの参加人数が制限されてしまうという問題点を解決して、携帯通信端末を利用することで、家族での参加や友人同士での参加が可能となる。
【０１０４】
また、本実施形態に係るコンテンツ提供システムによれば、特定の事業者が、当該コンテンツ適用システム３０を管理することによって、放送局と会員とを結ぶ中核的な存在となることができる。
【０１０５】
また、本実施形態に係るコンテンツ提供システムによれば、会員認証部４０が、会員１の携帯通信端末１０から送信された「会員ＩＤ」と「会員パスワード」と「コンテンツＩＤ」とに応じて、当該会員１の携帯通信端末１０に対して当該コンテンツＩＤによって識別されるコンテンツを提供するか否かについての会員認証を行うため、所定のコンテンツに対する会員による集中的なアクセスを回避することができる。
【０１０６】
また、本実施形態に係るコンテンツ提供システムによれば、当選通知メール送信部３８が、放送局５０からの指示に基づいて所定の会員１を選択するため、放送局５０は、自身が提供する番組に関連するコンテンツを提供する会員１を自由に選択することができる。
【０１０７】
また、本実施形態に係るコンテンツ提供システムによれば、当選通知メール送信部３８が、放送局５０から指示された会員１の性別、住所、年齢の少なくとも一つの情報に基づいて、所定の会員１を選択するため、放送局５０は、番組の特性（例えば、２０台女性をターゲットとした番組や、ローカル番組等）に基づいて、当該番組に関連するコンテンツを提供する会員１を自由に選択することができる。
【０１０８】
また、本実施形態に係るコンテンツ提供システムによれば、番組参加メール送信部３６が、番組参加メールを会員１に対して送信するため、当該コンテンツの提供を望む会員１を広く募集することができる。
【０１０９】
また、本実施形態に係るコンテンツ提供システムによれば、放送局認証部４２が、所定の放送局５０に対してコンテンツの内容を変更することを許可するか否かについての放送局認証を行うため、許可された放送局５０のみが、番組の放送中であっても、当該番組に関連するコンテンツを自由に変更することができる。
【０１１０】
（変更例１）
また、以下のように、上述の実施形態に係るコンテンツ提供システム３０を用いて、クイズ番組に関連するコンテンツを提供してもよい。
【０１１１】
放送局５０は、クイズ回答者（出演者）が、クイズの回答に詰まった場合、視聴者に質問するという選択をすることができるクイズ番組を放送する。
【０１１２】
かかるクイズ番組において、クイズ回答者は、クイズの回答に詰まった場合、クイズの内容に応じて、質問対象の視聴者を自由に選択する。例えば、７０年代のファッションに係る問題が出題されている場合、クイズ回答者は、質問対象の視聴者として、４０代の女性を選択する。
【０１１３】
かかる場合、当選通知メール送信部３８が、放送局５０からの指示に基づいて、参加申込情報を送信した４０代の女性会員１の中から、所定人数（例えば、１名）の会員１を抽選によって選択する。
【０１１４】
その後、当選通知メール送信部３８が、選択した会員１のメールアドレス宛てに、コンテンツＩＤを含む当選通知メールを送信する。
【０１１５】
その結果、選択された会員１は、上述のクイズ番組に、携帯通信端末１０を用いて、当該クイズ番組に関連するコンテンツの提供を受けること（例えば、ポータルサイトへのアクセスすること）が可能となり、上述のクイズ回答者に対して、助言することができる。
【０１１６】
本変更例では、上述の実施形態に係るコンテンツ提供システム３０を用いて、クイズ番組に関連するコンテンツを提供する場合について説明したが、本変更例に係る発明は、これらの場合に限定されること無く、討論番組（内閣支持率等のアンケートを世代等の会員の属性ごとに行う番組）等の生放送番組（リアルタイムに撮影されて放送される番組）に関連するコンテンツを提供する場合に適用することができる。
【０１１７】
かかる変更例によれば、視聴者は、いつ自分が番組に参加可能となるか分からないので、当該番組の視聴に集中することができる。
【０１１８】
また、かかる変更例によれば、会員の個人属性（性別や年令等）に基づいて、番組に参加させる視聴者（すなわち、当該番組に関連するコンテンツを提供する会員）を選択することができるので、会員（視聴者）の個人属性を活かした番組演出を行うことができる。
【０１１９】
（変更例２）
また、変更例２に係るコンテンツ提供システム３０は、複数の放送局５０の間で、視聴者の所定の番組への参加申込を受け付けるためのリソース（システムの処理能力等）又は当該番組に関連するコンテンツを提供する（視聴者の参加を受け付ける）ためのリソースを共有することができる。例えば、コンテンツ提供システム３０の処理能力が、１０，０００人の視聴者の参加が限度であった場合、放送局５０Ａが５０００人を選択してコンテンツ（例えば、視聴者参加番組に関連するコンテンツ）を提供すると、残りの５０００人分のリソースのうち、２０００人分のリソースを放送局５０Ｂに割り当て、３０００人分のリソースを放送局５０Ｃに割り当てることができる。
【０１２０】
【発明の効果】
以上説明したように本発明によれば、携帯通信端末１０を利用することにより、既存のアナログ放送システムやＢＳディジタル放送システムにおいても、容易に共通の双方向の放送サービスを提供することができる。
【図面の簡単な説明】
【図１】本発明の一実施形態に係るコンテンツ提供システムを含む全体構成図である。
【図２】本発明の一実施形態に係るコンテンツ提供システムの機能ブロック図である。
【図３】本発明の一実施形態に係るコンテンツ提供システムの会員情報記憶部によって管理されるレコードの一例を示す図である。
【図４】本発明の一実施形態に係るコンテンツ提供システムのコンテンツ情報記憶部によって管理されるレコードの一例を示す図である。
【図５】本発明の一実施形態に係るコンテンツ提供システムの参加情報記憶部によって管理されるレコードの一例を示す図である。
【図６】本発明の一実施形態に係るコンテンツ提供システムの動作を示すシーケンス図である。
【符号の説明】
１…会員
２…ＴＶ受信機
３…広告・雑誌
４…放送中継装置
１０…携帯通信端末
３０…コンテンツ提供システム
３１…会員情報記憶部
３２…番組情報記憶部
３３…参加情報記憶部
３４…コンテンツ記憶部
３５…放送局Ｉ／Ｆ部
３６…番組参加メール送信部
３７…参加申込情報受信部
３８…当選通知メール送信部
３９…コンテンツ提供部
４０…会員認証部
４１…会員登録部
４２…放送局認証部
４３…参加者情報提供部
４４…課金処理部
５０…放送局
【図１】
2004120438.tif 000003
【図２】
2004120438.tif 000004
【図３】
2004120438.tif 000005
【図４】
2004120438.tif 000006
【図５】
2004120438.tif 000007
【図６】
2004120438.tif 000008